(57)【要約】本発明は、道路上で警察官が携帯するレッドＬＥＤランプ部を有する信号棒の機能と、ホワイトＬＥＤランプ部を有するフラッシュの機能とを同時に有する多機能信号棒に関するものである。また、本発明は、フラッシュの機能を選択する場合、棒の警光管は、アンテナの形態に製作されており、警光管の各節を引っ込めて縮小することにより、フラッシュとして便利に携帯することができるようにして、信号棒として使用する場合は、警光管をアンテナのように長く伸ばし、遠距離でも信号棒がよく見えるようにして、また取っ手部に一定の間隔をおいて支持脚を三つ形成して、開いて立てる場合、道路や所定位置に立てて危険を認知させることのできる信号棒を提供する。【選択図】図１
2007520045.tif 000002
【特許請求の範囲】
【請求項１】
取っ手部１０と、取っ手部に設けられた、電源連結及び信号発生機能とフラッシュ機能を選択するスイッチ部１１と、取っ手部内に電池が挿入されている電源供給部１２と、前記スイッチ部１１の信号に従って、電源オフ及びレッドシグナルＬＥＤ部１４とホワイトシグナルＬＥＤ部１５の発光をコントロールする回路基板１３と、アンテナのように伸ばし・引っ込めが可能な警光管２０と、取っ手部１０の側面に一定の間隔をおいて設置されている溝１７と、溝内に挿入されている支持脚１６とから構成される多機能信号棒。
【請求項２】
ホワイトシグナルＬＥＤ部１５の下部には、反射板１８が設置されていることを特徴とする、請求項１に記載の多機能信号棒。
【請求項３】
レッドシグナルＬＥＤ部１４は、取っ手部の上部面の周辺部に設けられて、ホワイトＬＥＤ部１５は、取っ手部の上部面の中心部に設けられていることを特徴とする、請求項２に記載の多機能信号棒。
【請求項４】
スイッチ部１１は、真ん中に位置させた場合は、電源がオフされて、左側に押して位置させた場合は、レッドシグナルＬＥＤが作動し信号を発生して、右側に押して位置させた場合は、ホワイトシグナルＬＥＤが作動しフラッシュの機能をするように構成したことを特徴とする、請求項３に記載の多機能信号棒。
【請求項５】
支持脚１６は、取っ手部１０に形成された溝１７の内部に挿設されており、開いた場合、三つの脚で多機能信号棒を支持するようになっていることを特徴とする、請求項４に記載の多機能信号棒。
【請求項６】
電源供給部１２の代わりに、取っ手部１０に充電部及び充電連結ジャックを備えて、車両バッテリーまたは他の電源部から充電が可能なようになっていることを特徴とする、請求項５に記載の多機能信号棒。
【請求項７】
ホワイトＬＥＤ１５の上部の警光管の上端部に拡散鏡を設置し、光が拡散されるようにしたことを特徴とする、請求項１乃至６のいずれか一つの項に記載の多機能信号棒。
【請求項８】
取っ手部１０と、 取っ手部に設けられた、電源連結及び信号発生機能とフラッシュ機能を選択するスイッチ部１１と、取っ手部内に電池が挿入されている電源供給部１２と、回路基板１３と、アンテナのように伸ばし・引っ込めが可能な警光管２０と、取っ手部１０の側面に一定の間隔をおいて設置されている溝１７と、溝内に挿入されている支持脚１６と、 警光管２０の先端部の中心に設けられたホワイトＬＥＤ１５と、電源供給部１２とホワイトＬＥＤを連結するコイル状または直線状のフレキシブル電線と、電線に一定の間隔で離隔されて設けられているレッドＬＥＤ２２とから構成される多機能信号棒。
【請求項９】
ホワイトシグナルＬＥＤ１５の上部の警光管の上端部に拡散鏡を設置し、光が拡散されるようにしたことを特徴とする、請求項８に記載の多機能信号棒。
【発明の詳細な説明】
【技術分野】
【０００１】
本発明は、道路上で警察官が携帯するレッドＬＥＤランプ部を有する信号棒の機能と、ホワイトＬＥＤランプ部を有するフラッシュの機能とを同時に有する多機能信号棒に関するものである。
【０００２】
また、本発明は、フラッシュの機能を選択する場合、棒の警光管は、アンテナの形態に製作されており、警光管の各節を引っ込めて縮小することにより、フラッシュとして便利に携帯することができるようにして、信号棒として使用する場合は、警光管をアンテナのように長く伸ばし、遠距離でも信号棒がよく見えるようにして、また取っ手部に一定の間隔をおいて支持脚を三つ形成して、開いて立てる場合、道路や所定位置に立てて、危険を認知させることのできる信号棒を提供する。
【背景技術】
【０００３】
交通信号棒は、棒状の信号棒の内部に複数個の発光ダイオードを内装し、発光ダイオードを反復的に点滅発光させるか、または赤いシグナルを持続的に発光させることにより、車両の方向を誘導するか、車両の取り締まりなどに利用する。
【０００４】
このような従来の信号棒は、夜間に手信号者の位置と行動を比較的よく認知できるようにして、交通の流れを円滑にするか、信号を明確に認識させることができる交通信号棒、及び、夜間に作業場で作業する場合、作業者間に、または作業車両の出入り時、安全のために信号を送る用途に使用しているが、この場合、いずれも、注意信号を送って事故を予防するか、取り締まりをするなどの用途として使用されているだけで、まだ暗い所におけるフラッシュの機能や、無人状態で道路上や一定な位置に立てて固定し円滑に信号を送る用途としては使用されていない実情である。
【発明の開示】
【発明が解決しようとする課題】
【０００５】
本発明は、道路上で自動車の流れを誘導するか、警察官が検問のために携帯する交通信号棒を提供する。
【０００６】
本発明のまた他の目的は、信号棒の機能とフラッシュの機能とを同時に与える信号棒を提供する。
【０００７】
本発明のまた他の目的は、信号棒の取っ手の部分に三つの支持脚を備えて、道路やその他の適切な位置に信号棒を立てることができるようにして、事故時、人がいなくても、他の人や自動車などに信号を送って警告することにより、相次ぐ事故を予防することができる多機能交通信号棒を提供することにある。
【０００８】
本発明のまた他の目的は、警光管をアンテナ状に構成して、信号棒として使用する場合は、長く伸ばして使用し、フラッシュの機能をする場合は、警光管の各節をアンテナのように引っ込めてサイズを最小化し、携帯に便利な交通信号棒を提供する。
【課題を解決するための手段】
【０００９】
本発明は、上記のような問題点を解決するために案出されたもので、信号棒の取っ手部の上端面の内部側には、一つ以上の複数個のホワイトＬＥＤを設けて、取っ手部の上端面の外部側には、複数個のレッドＬＥＤを設けて、信号時には、レッドＬＥＤを作動させ赤い色の信号を送って、車両の流れと安全のための信号として機能を果たし、信号を送っていない場合は、内部面のホワイトＬＥＤを作動させ、フラッシュの機能を果たすようにした。
【００１０】
また、信号棒を利用し、警察官や作業者が信号を送ること以外に、信号棒の取っ手部の外面に一定の距離をおいて支持脚を形成し、支持脚を開く場合、支持脚により信号棒を道路や作業台の上に立てることができるようにして、無人状態でも安全のための信号を送ることができるようにした。
【００１１】
さらに、警光管は、アンテナ状に製作して、信号時は、長く伸ばして赤いシグナルが広い面積で反射発光するようにして信号を明確に伝達し、フラッシュとして使用する場合は、警光管を引っ込めサイズを最小化して、便利に携帯することができるようにしたことを特徴としている。
【００１２】
以下、本発明の構成及び作用を、図面を利用して詳細に説明する。本発明の図面は、本発明の一例を示すためのものであって、本発明がこれに限定されるものではなく、当業者の水準で、必要に応じて変形可能であることは明確である。
【発明を実施するための最良の形態】
【００１３】
本発明は基本的に、取っ手部１０； 取っ手部に設けられた、電源連結及び信号発生機能とフラッシュ機能を選択するスイッチ部１１；取っ手部内に電池が挿入されている電源供給部１２； 前記スイッチ部１１の信号に従って、レッドシグナルＬＥＤ部１４及びホワイトシグナルＬＥＤ部１５をコントロールする回路基板１３；アンテナのように伸ばし・引っ込めが可能な警光管２０；ホワイトＬＥＤ部を下部から包んでいる反射板１８；及び信号棒が立てられるように支持する支持脚１６から構成される。
【００１４】
以下、本発明を説明するために、図面を利用して説明する。この図面は、本発明を限定するものではなく、本発明の一実施例を示すためのものである。
【００１５】
図１の(a)は、本発明による一実施例における交通信号棒の外観斜視図であり、図１の(b)は、フラッシュ機能をする時の斜視図を示すものであって、取っ手部１０には、電源連結及び機能別スイッチングが可能なスイッチ部１１が設けられて、内部には、電源供給部１２及び回路基板１３が収納されて、取っ手部１０の周縁部には、一定の距離をおいて支持脚１６を挿設した構成からなる。取っ手部１０において、スイッチ部１１は、真ん中に位置させると、電源連結が切れて、左側に押すと、レッドＬＥＤシグナル部１４が駆動して、信号灯の役割を果たし、右側に押すと、ホワイトＬＥＤ部１５が駆動して、フラッシュの機能をするようになり、上記のスイッチ作動による全体動作を制御する制御は、回路基板１３によりなされているが、必要に応じて、スイッチの押し回数により、電源供給中断、一回押すと、レッドＬＥＤシグナル部の駆動、レッドシグナルの駆動後、もう一回押すと、ホワイトＬＥＤ部１５の駆動、もう一回押すと、再び電源供給が中断されるように制御する制御スイッチの方式でスイッチを構成してもよい。
【００１６】
支持脚１６は、人が携帯する場合は、畳み込んで取っ手部１０の表面内部の溝１７に入れておき、道路などに立てる場合は、溝１７から開いて、信号棒を立てることができるようにする。支持脚１６は、連結ピンにより取っ手部１０に結合されて、支持脚を溝１７に挿入するか、溝から開いて立てられるように構成される。溝から開かれた支持脚１６は、しっかり立っているように固定することができて、また、溝に挿入された状態では、指で引っ張って開かない限り、溝から外れないようにする手段を採択しており、このような手段は、突出部などを両側に設けるなどの公知の手段を使用して構成することができるため、本発明では、これ以上詳細に記載せず、公知のいかなる手段を使用してもよい。
【００１７】
前記取っ手部１０は、その先端部に位置した締結部３０により、光透過性材質の円筒状警光管２０と連結されて、締結部３０の内部の取っ手部１０の上面中心部には、ホワイトＬＥＤ駆動部１５が複数個設けられており、周辺部には、一定間隔をおいて複数個の、好ましくは四つのレッドＬＥＤ駆動部１４が設けられており、信号発生時に駆動されるように構成されている。前記警光管２０は、図に示したように、複数個の節を連結して構成し、取っ手部１０から離れるほど、各節の直径を小さくしてアンテナの形態に構成する。前記警光管は、光が透過する材質からなる管状に具現されて、その後端部が取っ手１０の先端部から完全に離脱されないように、係止突起(図示せず)などを備えて、取っ手部の先端部にも警光管の係止突起に対応する係止部(図示せず)を設置する。フラッシュ機能をする場合は、警光管２０をアンテナのように引っ込めて警光管の長さを最小化することにより、ホワイトＬＥＤ駆動部１５から発散される光がよく照らされるようにすると共に、携帯を便利にして、ホワイトＬＥＤ駆動部１５の下部には、反射板１８を挿設して、光が反射されて効率的なフラッシュ機能を有するようにする。
【００１８】
また、電源供給部の電池は、充電が可能なものを使用してもよく、取っ手部は、充電連結ジャックなどを備え、車両バッテリーなどの別途の電源を通じて充電が可能な形態に具現することもできる。
【００１９】
また、警光管をアンテナのように伸ばす時は、手で警光管の上端部を引いて伸ばすことができ、警光管を取っ手部内に引っ込める場合は、スプリングの収縮力により収縮されるように具現することもできる。
【００２０】
図２は、本発明のシステム構成を示した一実施例の断面図であって、前記図面を参照し、本発明の作用及び効果について説明する。
【００２１】
本発明による交通信号棒は、取っ手部１０に位置したスイッチ部１１により作動されるものであって、前記スイッチ部１１は、電源オフモード、レッドＬＥＤモード、ホワイトＬＥＤモードに分けられる。前記スイッチ１１を真ん中に位置させ電源オフモードにすると、電源部から各部への電源供給が切れるようになり、その他のモードでは、電源部から各部に電源が供給され、回路基板１３の制御部の制御信号により、該当動作が行われるようになる。
【００２２】
作業者が作業統制や交通統制などをするために、前記スイッチ１１を電源オフモードから左側に押してレッドＬＥＤモードに変更すると、回路基板の制御部から該当信号が入力され、レッドＬＥＤ２２を作動して信号を送り、交通統制や作業の安全を図り、前記スイッチ１１をホワイトＬＥＤモードに変更すると、前記回路基板の制御部からホワイトＬＥＤ１５を作動させて、フラッシュ機能を付与する。
【００２３】
本発明の図２は、警光管２０だけをアンテナのように伸ばし・引っ込め可能にしたものであって、ホワイトＬＥＤ１５とレッドＬＥＤ２２とは、取っ手部に固定される方式で構成した形態を示したものである。警光管の最上層には、ホワイトＬＥＤの光を拡散する拡散鏡が備えられている。取っ手部１０と警光管２０とは、ネジ式で取っ手部と連結される係止部を有する締結部(図示せず)により、係止突起を有する警光管２０と結合されるようになるが、警光管を取っ手部から離脱しないようにする手段は、この分野に公知のいかなる技術を使用してもよい。
【００２４】
図３は、本発明によるまた他の形態の多機能信号棒の断面図であって、ホワイトＬＥＤ部１５を警光管２０の先端部に位置させて、先端部には、ホワイトＬＥＤ部の光を拡散する拡散鏡が最上層に設けられており、コイル状または直線状の電線を通じて電源を供給して、コイル状の電線にレッドＬＥＤ２２を位置させた構成を有する。前記電線は、全てフレキシブルな電線を使用する。
【００２５】
本発明は、道路上で自動車の流れを誘導するか、警察管が検問のために携帯する交通信号棒を提供するだけではなく、信号棒の機能とフラッシュの機能とを同時に有する信号棒を提供して、フラッシュとして使用する場合、警光管をアンテナのように引っ込め、携帯に便利にするだけではなく、反射板１８をホワイトＬＥＤに設置し、効率的な明るい光を発光するようにして、また、取っ手部１０に三つの支持脚を備え、道路やその他の適切な位置に信号棒を立てることができるようにして、事故時、作業者がいなくても、他の人や自動車などに信号を送って警告することにより、相次ぐ事故を予防することができる多機能交通信号棒を提供する。
【図面の簡単な説明】
【００２６】
【図１】本発明による多機能交通信号棒の外観斜視図であって、(a)は、警光管を伸ばした場合、(b)は、警光管を引っ込めた場合を示す。
【図２】本発明のホワイト及びレッドＬＥＤが取っ手の上端部に設けられている多機能信号棒の断面図である。
【図３】本発明のホワイトシグナルＬＥＤ部を警光管の先端部に位置させて、コイル状の電線を通じて電源を供給し、コイル状の電線にレッドＬＥＤを位置させた、本発明のまた他の多機能信号棒の断面概略図である。
【符号の説明】
【００２７】
１０    取っ手部
１１    スイッチ部
１２    電源供給部
１３    回路基板
１４    レッドシグナルＬＥＤ部
１５    ホワイトシグナルＬＥＤ部
１６    支持脚
１７    溝
１８    反射板
２０    警光管
２１    支持棒
２２    レッドＬＥＤ
【図１】
2007520045.tif 000003
【図２】
2007520045.tif 000004
【図３】
2007520045.tif 000005
【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
取っ手部１０と、
取っ手部に設けられた、電源連結及び信号発生機能とフラッシュ機能を選択するスイッチ部１１と、
取っ手部内に電池が挿入されている電源供給部１２と、
前記スイッチ部１１の信号に従って、電源オフ及びレッドシグナルＬＥＤ部１４とホワイトシグナルＬＥＤ部１５の発光をコントロールする回路基板１３と、
アンテナのように伸ばし・引っ込めが可能な警光管２０と、
取っ手部１０の側面に一定の間隔をおいて設置されている溝１７と、
溝内に挿入されている支持脚１６とから構成され、
ホワイトシグナルＬＥＤ部１５の下部には、反射板１８が設置されており、
レッドシグナルＬＥＤ部１４は、取っ手部の上部面の周辺部に設けられて、ホワイトＬＥＤ部１５は、取っ手部の上部面の中心部に設けられており、
スイッチ部１１は、真ん中に位置させた場合は、電源がオフされて、左側に押して位置させた場合は、レッドシグナルＬＥＤが作動し信号を発生して、右側に押して位置させた場合は、ホワイトシグナルＬＥＤが作動しフラッシュの機能をするように構成され、
支持脚１６は、取っ手部１０に形成された溝１７の内部に挿設されており、開いた場合、三つの脚で多機能信号棒を支持するようになっていることを特徴とする、多機能信号棒。
【請求項６】
（削除）
【請求項７】
電源供給部１２の代わりに、取っ手部１０に充電部及び充電連結ジャックを備えて、車両バッテリーまたは他の電源部から充電が可能なようになっており、
ホワイトＬＥＤ１５の上部の警光管の上端部に拡散鏡を設置し、光が拡散されるようにしたことを特徴とする、請求項５に記載の多機能信号棒。
【請求項８】
（削除）
【請求項９】
取っ手部１０と、
取っ手部に設けられた、電源連結及び信号発生機能とフラッシュ機能を選択するスイッチ部１１と、
取っ手部内に電池が挿入されている電源供給部１２と、
前記スイッチ部１１の信号に従って、電源オフ及びレッドシグナルＬＥＤ部１４とホワイトシグナルＬＥＤ部１５の発光をコントロールする回路基板１３と、
アンテナのように伸ばし・引っ込めが可能な警光管２０と、
取っ手部１０の側面に一定の間隔をおいて設置されている溝１７と、
溝内に挿入されている支持脚１６とから構成され、
警光管２０の先端部の中心に設けられたホワイトＬＥＤ１５と、
電源供給部１２とホワイトＬＥＤを連結するコイル状または直線状のフレキシブル電線と、
電線に一定の間隔で離隔されて設けられているレッドＬＥＤ２２と、
ホワイトシグナルＬＥＤ１５の上部の警光管の上端部に拡散鏡を設置し、光が拡散されるようにしたことを特徴とする、多機能信号棒。
【国際調査報告】
2007520045.tif 000006